(57)【要約】【課題】ステージ上に敷設される機材の接続コードの本数を減らし得るスピーカボックスおよびマイクロホンスタンドを提供する。【解決手段】  本実施形態の係るスピーカボックス２０は、マイクロホン１１を保持するマイクロホンスタンド２のポール３の根元側に取り付けられる。また、本実施形態の係るマイクロホンスタンド２は、スピーカボックス２０をポール３の根元側に備える。これにより、マイクロホン１１から伸びるマイクコード１３は、ポール３に沿って、直接、スピーカボックス２０の内部に設けられたアンプユニットに接続される。そのため、マイクコード１３は、ステージの床面１００に敷設されない。したがって、ステージ上に敷設される機材の接続コードの本数を減らすことができる。【選択図】図１
0003209276.tif 000002
【実用新案登録請求の範囲】
【請求項１】
スピーカと、マイクロホンから入力された音声信号を増幅して前記スピーカに出力するオーディオアンプと、を備えたスピーカボックスであって、
前記マイクロホンを保持するマイクロホンスタンドのポールの根元側に取り付けられることを特徴とするスピーカボックス。
【請求項２】
スピーカ音が外部に出力される開口部または前記スピーカを複数箇所に備え、これらの少なくとも一つから出るスピーカ音が前記マイクロホンの使用者に到達することを特徴とする請求項１に記載のスピーカボックス。
【請求項３】
前記ポールの径方向に向いて前記ポールを周方向に囲む側壁を備えており、この側壁には、複数の前記開口部または複数の前記スピーカが設けられて、
前記ポールを支えるスタンドベースの役割を果たすことを特徴とする請求項２に記載のスピーカボックス。
【請求項４】
前記ポールの径方向に向いて前記ポールを周方向に囲むとともに前記ポールから放射状に展開可能に分割される複数の側壁を備えており、これらの側壁には、前記開口部または前記スピーカと、
挿通した前記ポールに固定する固定部と、
前記固定部に対して前記複数の側壁を回動可能に取り付ける回動機構と、
が設けられて、
前記複数の側壁の展開角度は、前記固定部の固定位置に従って変動し前記開口部または前記スピーカの向きが変わることを特徴とする請求項２に記載のスピーカボックス。
【請求項５】
前記ポールから取り外した場合には、前記複数の側壁は平面状に展開可能であることを特徴とする請求項４に記載のスピーカボックス。
【請求項６】
請求項１〜５のいずれか一項に記載のスピーカボックスをポールの根元側に備えることを特徴とするマイクロホンスタンド。
【考案の詳細な説明】
【技術分野】
【０００１】
本考案は、スピーカと、マイクロホンから入力された音声信号を増幅してスピーカに出力するオーディオアンプと、を備えたスピーカボックスおよびこのようなスピーカボックスを備えたマイクロホンスタンドに関するものである。
【背景技術】
【０００２】
ミュージシャンがライブ演奏等に使用する機材には、マイクロホン、マイクロホンスタンドやアンプ付きスピーカ等がある。これらは、例えば、下記特許文献１に開示されるようにステージ上に並べられて使用される（特許文献１；図１）。この図の例では、ステージ上に、マイクロホンスタンドとアンプ付きスピーカが置かれており、アンプ付きスピーカにはマイクロホンやエレキギターから伸びたコードが接続されている。これらのほかに譜面台やオーディオイコライザー等がステージ上に置かれることもある。なお、マイクロホンスタンドには、下記特許文献２に開示されるような三脚タイプのものもある。
【先行技術文献】
【特許文献】
【０００３】
【特許文献１】特開２００２−１３５８７５号公報
【特許文献２】特開２０００−７８６７７号公報
【考案の概要】
【考案が解決しようとする課題】
【０００４】
このようにライブ演奏等では、様々な機材がステージ上に置かれるうえに、アンプ付きスピーカやオーディオイコライザー等にはマイクコード等の接続コードが複数本接続されることも少なくない。そのため、演奏中のステージの床面は、何本もの接続コードが敷設された状態になる。これらのコード同士が絡まったり、これらのコードがミュージシャンの足に引っかかったりすると、演奏の邪魔になり得る。また、ステージが狭い場合には、マイクロホンスタンドやアンプ付きスピーカ等の各機材をすべて並べる面積的な余裕がないこともある。このような場合に、例えば、マイクロホンスタンドと譜面台が共に三脚タイプのものであるときには両者を近づけ過ぎると、脚同士が交錯していずれかが転倒するおそれもある。
【０００５】
本考案は、上述した課題を解決するためになされたものであり、ステージ上に敷設される機材の接続コードの本数を減らし得るスピーカボックスおよびマイクロホンスタンドを提供することを目的とする。
【課題を解決するための手段】
【０００６】
上記目的を達成するため、実用新案登録請求の範囲に記載された請求項１の技術的手段を採用する。この手段によると、本考案のスピーカボックスは、マイクロホンを保持するマイクロホンスタンドのポールの根元側に取り付けられる。これにより、マイクロホンから伸びるマイクコードは、ポールに沿って、直接、スピーカボックスのオーディオアンプに接続される。そのため、マイクコードは、ステージの床面に敷設されない。なお、ポールは、マイクロホンスタンドの使用状態において、例えば、ステージの床面に対してほぼ垂直に立ち上がる支柱に相当するものである。なお、実用新案登録請求の範囲に記載の「音声信号」とは、例えば、周波数帯域が３０Hz〜３０ＫHzのアナログ電気信号のことであり、人間の発声音以外を含む（以下同じ）。
【０００７】
また、実用新案登録請求の範囲に記載された請求項２の技術的手段を採用する。この手段によると、本考案のスピーカボックスは、スピーカ音が外部に出力される開口部またはスピーカを複数箇所に備えている。そして、これらの開口部またはスピーカの少なくとも一つから出るスピーカ音がマイクロホンの使用者に到達する。これにより、残りの開口部またはスピーカからは、観客等に向けた方向にスピーカ音が出る。そのため、別途、観客用にスピーカを設ける必要がない。
【０００８】
また、実用新案登録請求の範囲に記載された請求項３の技術的手段を採用する。この手段によると、本考案のスピーカボックスは、側壁に、複数の開口部または複数のスピーカを備え、ポールを支えるスタンドベースの役割を果たす。これにより、スタンドベースから、マイクロホンの使用者や観客等に向けてスピーカ音が出されるようにスピーカボックスが機能する。
【０００９】
また、実用新案登録請求の範囲に記載された請求項４の技術的手段を採用する。この手段によると、本考案のスピーカボックスは、ポールから放射状に展開可能に分割される複数の側壁に、固定部と、これらの複数の側壁を固定部に対して回動可能に取り付ける回動機構とを備えることにより、複数の側壁の展開角度が、固定部の固定位置に従って変動して開口部またはスピーカの向きを変える。これにより、可能な範囲で開口部またはスピーカの向きを変えられる。
【００１０】
また、実用新案登録請求の範囲に記載された請求項５の技術的手段を採用する。この手段によると、本考案のスピーカボックスは、ポールから取り外した場合には、複数の側壁は平面状に展開可能である。これにより、箱形状から平板状になるので、平板状の板厚方向の幅が狭められる。
【００１１】
上記目的を達成するため、実用新案登録請求の範囲に記載された請求項６の技術的手段を採用する。この手段によると、本考案のマイクロホンスタンドは、上記のスピーカボックスをポールの根元側に備える。これにより、上記の各スピーカボックスの特徴を備える。
【考案の効果】
【００１２】
請求項１の考案では、マイクロホンから伸びるマイクコードは、ポールに沿って、直接、スピーカボックスのオーディオアンプに接続されるため、マイクコードは、ステージの床面に敷設されない。したがって、ステージ上に敷設される機器の接続コードの本数を減らすことができる。
【００１３】
請求項２の考案では、観客用の別スピーカとそれに対する接続コードとが削減されるため、必要機材等の数が減る。したがって、ステージ上に敷設される機器の接続コードの本数をさらに減らすとともに、ステージ上に並べられる機材の必要面積も減らすことができる。
【００１４】
請求項３の考案では、ポールを支えるスタンドベースの役割を果たすため、脚部のないマイクロホンスタンド（フレディ・マーキュリースタイルのマイクロホンスタンド）であっても、自立させることができるとともに、スタンドベースから、マイクロホンの使用者や観客等に向けてスピーカ音を出すことができる。フレディ・マーキュリースタイルのマイクロホンスタンドとは、英国のミュージシャンであるフレディ・マーキュリー（Freddie Mercury）が多用していた脚部のないマイクロホンスタンドのことである（以下同じ）。
【００１５】
請求項４の考案では、可能な範囲で開口部またはスピーカの向きを変えられるため、例えば、スピーカ音がマイクロホンに回り込んで生じ得るハウリングが発生しないように開口部またはスピーカの向きを変更することができる。また、マイクロホンの使用者や観客等にスピーカ音が届き易い方向に開口部またはスピーカの向きを変更することができる。
【００１６】
請求項５の考案では、ポールから取り外して展開すると、箱形状から平面状（平板形状）になるため、平板形状の板厚方向の幅が狭められる。例えば、運搬車両の側壁や天井近くに形成される隙間空間にも収容し得ることから、箱形状の場合に比べて可搬性が高まる。また、利便性に優れる。
【００１７】
請求項６の考案では、上記のスピーカボックスをポールの根元側に備えるため、上記の各スピーカボックスの特徴を備えたマイクロホンスタンドを提供することができる。
【図面の簡単な説明】
【００１８】
【図１】本考案の第１実施形態に係るスピーカボックスの使用例を示す説明図である。
【図２】第１実施形態のスピーカボックスの機械的な構成例を示す外観図である。
【図３】第１実施形態のスピーカボックスの電気的な構成例を示すブロック図である。
【図４】第１実施形態のスピーカボックスの改変例を示す外観図である。
【図５】本考案の第２実施形態に係るスピーカボックスの機械的な構成例を示す外観図である。
【図６】第２実施形態のスピーカボックスを構成する側面パネルの展開例を示す説明図である。
【図７】第２実施形態のスピーカボックスをマイクロホンスタンドに取り付ける手順の例を示す説明図である。
【図８】第２実施形態のスピーカボックスを平板形状に展開した例を示す説明図である。
【考案を実施するための形態】
【００１９】
以下、本考案のスピーカボックスの各実施形態について図を参照して説明する。
（第１実施形態）
まず、本考案のスピーカボックスの第１実施形態として、スタンドベースタイプのスピーカボックス２０，４０について図１〜図４を参照して説明する。図１は、スピーカボックス２０の使用例を示す説明図である。図２は、スピーカボックス２０の機械的な構成例を示す外観図であり、図３は、スピーカボックス２０の電気的な構成例を示すブロック図である。図４には、第１実施形態の改変例としてスピーカボックス４０の外観図を示す。なお、図２(A)は、図２(B)に示す矢印２Ａの方向から見た側面図に相当するものである。また、図４(B)には、矢視方向を示す矢印が図示されていないが、同図において紙面下方から見た側面図に相当する図が、図４(A)に表されている。
【００２０】
スピーカボックス２０は、マイクロホン１１を保持するマイクロホンスタンド２のポール３の根元側に取り付けられるものである。そのため、スピーカボックス２０の説明よりも先にマイクロホンスタンド２の構成を簡単に説明する。
【００２１】
図１に示すように、マイクロホンスタンド２は、主に、ポール３とブーム４により構成されている。ポール３は、マイクロホンスタンド２の使用状態において、例えば、ステージの床面１００に対してほぼ垂直に立ち上がる支柱に相当するものである。なお、図１に示すマイクロホンスタンド２は、フレディ・マーキュリースタイルのマイクロホンスタンドである。そのため、通常の自立タイプのマイクロホンスタンドと異なり、ポール３に脚部を備えていない。
【００２２】
ポール３の一端側には、ブームジョイント５を介してブーム４が取り付けられている。ブーム４の先端には、マイクブラケット６を介してマイクロホン１１が保持されている。ポール３の一端側には、ブーム４を取り付けることなく、マイクブラケット６が直接取り付けられている場合もある。第１実施形態では、ポール３は、その他端側、つまり根元側がスピーカボックス２０の挿入孔２３ａに直接差し込まれて、床面１００にほぼ垂直に立ち上がるようにステージ上に立設されている。
【００２３】
図１および図２に示すように、第１実施形態のスピーカボックス２０は、そのケース２１が四角錐台形状をしている。ケース２１は、例えば、プラスチック製であり、底部２４を除いて、４枚の側面パネル２２および頂面パネル２３が一体に形成されている。ケース２１の側面に相当する４枚の側面パネル２２には、それぞれ開口部２２ａが形成されている。これらの開口部２２ａは、ケース２１内に収容されたスピーカから出力されるスピーカ音を外部に出すためのものであり、それぞれスピーカグリル２５に覆われている。
【００２４】
４つのスピーカ３６、３７、３８、３９は、４枚の側面パネル２２に対応して設けられており、図略の金具によりそれぞれ側面パネル２２に固定されている。第１実施形態では、側面パネル２２は台形状に形成されている（以下、台形状における上下の底辺のうち、上側の底辺のことを「上底」といい、下側の底辺のことを「下底」という）。そのため、開口部２２ａがスピーカ３６〜３９の丸形状に合わせて円形状であるのに対して、スピーカグリル２５は、側面パネル２２の周囲を残してほぼ全面を覆い得る丸角状の台形にデザインされている。なお、スピーカは、側面パネル２２の開口部２２ａに対してそれぞれ設ける必要はなく、例えば、１つのスピーカが頂面パネル２３の方向にスピーカ音を発するように底部２４等に取り付ける構成でも良い。これによりスピーカの必要個数を減らせられるので、安価に製造できる。
【００２５】
側面パネル２２の上底側には、頂面パネル２３が接続されている。頂面パネル２３は、丸角の正方形状を成しており、その中央には挿入孔２３ａが形成されている。この挿入孔２３ａは、マイクロホンスタンド２のポール３を挿通する孔である。そのため、挿入孔２３ａの内径は、ポール３の外径よりも僅かに大径に設定されている。頂面パネル２３には、このほかに入力ジャック２６、出力ジャック２７やボリュームを取り付ける孔が形成されている。これらは、頂面パネル２３の裏面（内側）に取り付けられるアンプユニット３１に電気的に接続されている。
【００２６】
即ち、図３に示すように、スピーカボックス２０内には、前述した４つのスピーカ３６〜３９のほかに、アンプユニット３１および電源ユニット３３が収容されている。アンプユニット３１は、マイクロホン１１から入力される音声信号を所定利得で増幅してスピーカ３６〜３９に出力する音声信号増幅装置（オーディオアンプ）である。マイクロホン１１のマイクコード１３にはマイクプラグ１５が取り付けられている。そのため、このマイクプラグ１５を入力ジャック２６に接続することで、マイクロホン１１が出力する音声信号をアンプユニット３１に入力することが可能になる。入力ジャック２６を複数設けて、例えば、ほかのマイクロホンやエレキギターから音声信号をアンプユニット３１に入力可能に構成しても良い。アンプユニット３１の電源スイッチは、図示されていないが、例えば、ボリューム３２の操作に連動させる構成（スイッチ付きボリューム）を採ったり、外部から操作可能なトグルスイッチを設けて電源をオンオフしても良い。
【００２７】
アンプユニット３１には、スピーカ３６〜３９以外の出力先として、出力ジャック２７が接続されている。例えば、出力ジャック２７を介してほかのオーディオアンプ（ＰＡ；パワーアンプ）と接続することにより、マイクロホン１１の音をほかのスピーカからも出力することができる。アンプユニット３１には、増幅利得を可変できるボリューム３２が設けられており、ボリュームツマミ２８により外部から操作することができる。これによりスピーカ３６〜３９から出力されるスピーカ音の大きさを調整できる。アンプユニット３１は、電源ユニット３３から供給される直流電力で駆動する。電源ユニット３３には、ＡＣプラグ３５が付いた電源コード３４が接続されており、例えば、商用電源（ＡＣ１００Ｖ）が供給される。電源ユニット３３の代わりにバッテリから直流電力をアンプユニット３１に供給しても良い。
【００２８】
スピーカボックス２０の頂面パネル２３には、このようなアンプユニット３１や電源ユニット３３が取り付けられている。第１実施形態では、頂面パネル２３の中心をポール３が貫通するため、アンプユニット３１や電源ユニット３３は、ポール３が通る挿入孔２３ａを避けて配置されている。図２に示すように、側面パネル２２の下底側には、底部２４が接続されており、この底部２４にはウェイト２９が設けられている。ウェイト２９は、ポール３を支えるスタンドベースの役割を果たす重量物である。例えば、肉厚の厚い鋼板であり、その中央にポール３を保持する凹部２９ａが形成されている。即ち、頂面パネル２３に形成される挿入孔２３ａとほぼ同径の円形凹部２９ａがウェイト２９の面上中央に形成されている。これにより、挿入孔２３ａに挿通されたポール３は、ウェイト２９、つまりスピーカボックス２０の底部２４（ステージの床面１００）に対してほぼ垂直に立てることが可能になる。なお、マイクロホンスタンド２のポール３の根元側（他端側）に雄ねじが螺刻されている場合には、それ螺合可能な雌ねじをウェイト２９の凹部２９ａに形成しても良い。
【００２９】
このようにスピーカボックス２０を構成することにより、マイクロホンスタンド２のポール３の他端側、つまり根元側をスピーカボックス２０の挿入孔２３ａに差し込みさらにウェイト２９の凹部２９ａにも挿入すると（ポール３の根元側（他端側）に雄ねじが螺刻されている場合には、挿入後、ねじ締め方向に回転させると）、スピーカボックス２０によってマイクロホンスタンド２が支えられる。また、マイクロホンスタンド２を支えるスピーカボックス２０には、アンプユニット３１が内蔵されているので、マイクロホンスタンド２に保持されているマイクロホン１１のマイクプラグ１５をスピーカボックス２０の入力ジャック２６に接続することにより、マイクコード１３をステージの床面１００に敷設することなく、マイクロホンスタンド２やマイクロホン１１等の機材をセットアップすることができる。これにより、ミュージシャンＭの足元に敷設されて演奏の邪魔になりがちな機器の接続コードの本数を減らすことが可能になる。
【００３０】
続いて、第１実施形態の改変例を図４を参照して説明する。これまで説明したスピーカボックス２０は、ケース２１が四角錐台形状をしていたが、改変例のスピーカボックス４０は、ケース４１が円錐台形状をしている点で、スピーカボックス２０と相違する。スピーカボックス４０は、スピーカボックス２０に比べると、高さが低く低背であり、円盤形状を成すように構成されている。そのため、例えば、ミュージシャンＭが椅子等に腰掛けて演奏する場合には、フットレスト（足置き台）の代わりにもなり得る。なお、電気的な構成は、スピーカボックス２０とほぼ同一である。そのため、構成が実質的に同じ部分には図２に示す符号と同じ符号を付して説明を省略する。
【００３１】
図４に示すように、スピーカボックス４０のケース４１は、例えば、プラスチック製であり、底部４４を除いて、側面パネル４２および頂面パネル４３が一体に形成されている。ケース４１の側面に相当する円環帯状の側面パネル４２には、９０度ごとの４つの方向に対して、周方向に帯状に延びるスピーカグリル４５が取り付けられている。ケース４１は、低背であるため、このような帯状に延びるスピーカグリル４５に対して、径の小さいスピーカを複数個配置している。例えば、スピーカ３６は、３つの小型スピーカ３６ａ，３６ｂ，３６ｃを組み合わせて構成している。これらの小型スピーカ３６ａ，３６ｂ，３６ｃは、アンプユニット３１に対して個別に接続されている。他のスピーカ３７〜３９についても、同様に、３つの小型スピーカ３７ａ〜３７ｃ、３８ａ〜３８ｃ、３９ａ〜３９ｃを組み合わせて構成している。なお、これらの小型スピーカ３６ａ，３６ｂ，３６ｃ等が取り付けられる側面パネル４２には、各小型スピーカの形状に合わせた開口部が形成されているが、図４において省略している。複数の小型スピーカに代えて、スピーカグリル４５の帯形状に合わせた楕円形状のスピーカを用いても良い。
【００３２】
スピーカボックス４０の頂面パネル４３は、円形状に形成されており、その中心には、ポール３が挿入孔４３ａが形成されている。この挿入孔４３ａは、マイクロホンスタンド２のポール３を挿通する孔である。この挿入孔４３ａも、スピーカボックス２０の挿入孔２３ａと同様に、内径がポール３の外径よりも僅かに大径に設定されている。頂面パネル４３の表面のうち、アンプユニット３１が裏側に設けられる半円側には、入力ジャック２６、出力ジャック２７やボリュームを取り付ける孔が一列に並んで形成されている。これに対して、頂面パネル４３の残りの半円側、即ち電源ユニット３３が裏側に設けられる半円側の頂面パネル４３の表面は、入力ジャック２６等が設けられることはなく、フラットなままである。そのため、このような頂面パネル４３の平坦面側が椅子等に腰掛けて演奏するミュージシャンＭのフットレストとして機能し得る。
【００３３】
なお、スピーカボックス４０に収容されるアンプユニット３１や電源ユニット３３は、低背のスピーカボックス４０に収容する必要上、スピーカボックス２０のものに比べると薄型に構成されている。また、ポール３を支える円盤形状のウェイト４９には、スピーカボックス２０のウェイト２９と同様に、頂面パネル４３に形成される挿入孔４３ａとほぼ同径の円形凹部４９ａがその中心に形成されている。
【００３４】
このようにスピーカボックス４０を円盤形状に構成することにより、マイクロホンスタンド２に保持されるマイクロホン１１のマイクコード１３をステージの床面１００に敷設することなく、マイクロホンスタンド２やマイクロホン１１等の機材をセットアップすることができることに加えて、ミュージシャンＭのフットレスト（足置き台）の代わりにもなる。また、円盤形状で、低背でもあることから、前述した四角錐台形状のスピーカボックス２０に比べて、持ち運びし易い。したがって、スピーカボックス４０は、可搬性に優れている。
【００３５】
以上説明したように本第１実施形態に係るスピーカボックス２０，４０は、マイクロホン１１を保持するマイクロホンスタンド２のポール３の根元側に取り付けられる。これにより、マイクロホン１１から伸びるマイクコード１３は、ポール３に沿って、直接、スピーカボックス２０，４０のアンプユニット３１に接続される。そのため、マイクコード１３は、ステージの床面１００に敷設されない。したがって、ステージ上に敷設される機器の接続コードの本数を減らすことができる。
【００３６】
また、本第１実施形態のスピーカボックス２０，４０では、スピーカ音が外部に出力される開口部２２ａ、４２ａ（またはスピーカ３６〜３９）を複数箇所に備えている。そして、これらの開口部２２ａ、４２ａ（またはスピーカ３６〜３９）の少なくとも一つ（開口部２２ａ、４２ａ、スピーカ３６）から出るスピーカ音がマイクロホン１１を使用するミュージシャンＭに到達する。これにより、残りの開口部２２ａ、４２ａ（またはスピーカ３７〜３９）からは、観客等に向けた方向にスピーカ音が出る。そのため、別途、観客用にスピーカを設ける必要がないので、観客用の別スピーカとそれに対する接続コードとが削減される。したがって、必要機材等の数が減るため、ステージ上に敷設される接続コードの本数をさらに減らすとともに、ステージ上に並べられる機材の必要面積も減らすことができる。
【００３７】
さらに、本第１実施形態のスピーカボックス２０，４０では、底部２４，４４にウェイト２９，４９を備えており、それに形成される凹部２９ａ，４９ａでマイクロホンスタンド２のポール３を支える。これにより、スタンドベースの役割を果たすので、脚部のないフレディ・マーキュリースタイルのマイクロホンスタンドであっても、自立させることができる。
【００３８】
（第２実施形態）
次に、本考案のスピーカボックスの第２実施形態を図５〜図８を参照して説明する。第２実施形態のスピーカボックス５０は、可搬に便利な展開可能タイプのスピーカボックス５０である。図５に、第２実施形態に係るスピーカボックス５０の機械的な構成例を表す外観図を示す。また、図６に、スピーカボックス５０の展開例を表す説明図を示し、図７に、スピーカボックス５０をマイクロホンスタンド２に取り付ける手順の例を表した説明図を示す。図８は、スピーカボックス５０を平板形状に展開した例を示す説明図である。なお、図５(B)には、矢視方向を示す矢印が図示されていないが、同図において紙面下方から見た側面図に相当する図が、図５(A)に表されている。また、図８(A)には、矢視方向を示す矢印が図示されていないが、同図において紙面下方から見た側面図に相当する図が、図８(B)に表されている。
【００３９】
第２実施形態のスピーカボックス５０は、第１実施形態のスピーカボックス２０を構成する側面パネル２２を４つに分割するとともに、底部４４を削除したものに相当する構成を採る。これにより、脚部が付いたマイクロホンスタンドに対して、ブームジョイント５やマイクブラケット６が取り付けられるポール３の一端側から、被せるようにポール３を挿通させて、マイクロホンスタンドの脚部の脚シャフト８の上に乗せるように置いて使用することが可能になる。マイクロホンスタンドへの取り付け手順については、後で図７を参照して説明する。なお、第２実施形態のスピーカボックス５０も、電気的な構成は、スピーカボックス２０とほぼ同一である。そのため、構成が実質的に同じ部分には図２に示す符号と同じ符号を付して説明を省略する。
【００４０】
まず、図５および図６に基づいて、スピーカボックス５０の構成等を説明する。図５に示すように、第２実施形態のスピーカボックス５０は、そのケース５１が４枚の側面パネル５２と１枚の頂面パネル５３とにより構成されている。ケース５１も、前述したスピーカボックス２０のケース２１と同様に、例えば、プラスチック製である。側面パネル５２は、台形状に形成されており、それぞれの上底が、正方形状に形成されている頂面パネル５３の各辺に対して、回動自在に接続されている。各側面パネル５２の回動を実現する回動機構は、例えば、蝶番（バタフライヒンジ）５９である。例えば、４枚の側面パネル５２と頂面パネル５３を可撓性に優れた樹脂材料で一体に成形して、バタフライヒンジの部分を可撓なヒンジ形状に形成しても良い。なお、図５、図６および図８においては、蝶番５９に該当する部分をグレーに着色している。
【００４１】
頂面パネル５３には、スピーカボックス２０の頂面パネル２３と同様に、マイクロホンスタンドのポール３を挿通可能な挿入孔５３ａがその中央に形成されている。頂面パネル５３の表面、即ちアンプユニット３１や電源ユニット３３が取り付けられない頂面パネル５３の外側面には、頂面パネル５３の挿入孔５３ａと同軸にホルダリング５６が取り付けられる。ホルダリング５６は、当該スピーカボックス５０をポール３に固定するための固定部である。そのため、ホルダリング５６には、頂面パネル５３の挿入孔５３ａとほぼ同径か僅かに大径の挿入孔５６ａが形成されているとともに、ホルダリング５６に貫通したポール３に対して径方向から圧接するボルト５７が３箇所に設けられている。例えば、ねじ締め方向に回すとポール３に圧接する３本のボルト５７がホルダリング５６の周方向に１２０度間隔に設けられている。なお、スピーカ３６〜３９やスピーカグリル５５は、スピーカボックス２０のスピーカ３６〜３９やスピーカグリル２５等と同様であるので、説明を省略する。
【００４２】
スピーカボックス５０をこのように構成することによって、ポール３に固定するホルダリング５６の位置で、側面パネル５２の展開状態が変化する。即ち、図５(A)や図６に示すように、ホルダリング５６の位置がポール３の脚部（脚ホルダ７や脚シャフト８）から離れるほど、４枚の各側面パネル５２が床面１００に対して立ち上がった状態（展開角度θが小さい状態）になり（図５(A)の例）、ホルダリング５６の位置がポール３の脚部に近づくほど、４枚の各側面パネル５２が床面１００に対して寝た状態（展開角度θが大きい状態）になる（図６(B)の例）。つまり、４枚の側面パネル５２の展開角度θが、ホルダリング５６の固定位置に従って変動して開口部５２ａまたはスピーカ３６〜３９の向きが変わる。これにより、例えば、スピーカボックス５０から出力されたスピーカ音がマイクロホン１１に回り込んでハウリングが生じた場合には、ホルダリング５６の固定位置を変えることによりスピーカ３６〜３９等の向きをハウリングの生じない方向に変えることが可能になる。
【００４３】
このようなスピーカボックス５０は、脚部が付いたマイクロホンスタンドに次の手順で取り付けられる。図７に示すように、マイクロホンスタンドのポール３から、ブームジョイント５を取り外した後（またはブームジョイント５を取り付ける前）において、ポール３の一端側３ａからスピーカボックス５０を被せるようにして、ホルダリング５６の挿入孔５６ａにポール３を通す（スピーカボックス５０’）。そして、ポール３の他端側に設けられている脚ホルダ７を覆い被すようにスピーカボックス５０を３本の脚シャフト８の上に載置する。（スピーカボックス５０”）。
【００４４】
これにより、スピーカボックス５０は、脚付きのマイクロホンスタンドに取り付けられる。この後、ポール３の一端側３ａにブームジョイント５を取り付けてブーム４を必要な角度と長さにセットする。なお、ポール３が２本以上のサブポールの組み合わせにより伸縮自在に構成されている場合には、脚部に最も近いサブポールの一端側（脚ホルダ７が設けられていない端部側）から、ポール３の場合と同様にスピーカボックス５０を被せるようにして、ホルダリング５６の挿入孔５６ａに当該サブポールを通す（その後の手順は、上記と同じ）。
【００４５】
また、このようなスピーカボックス５０は、マイクロホンスタンドから取り外した状態においては、図８に示すように、平坦状に展開した状態になる。そのため、例えば、蝶番５９の部分にこのような展開状態を維持可能なストッパ機構を設けたり（付加したり）、または展開状態にあるスピーカボックス５０を平坦な２枚のボード（ベニヤ板やアクリル板等）でサンドイッチのように挟み込んだりすることによって、平らなボードのように持ち運ぶことが可能になる。
【００４６】
なお、上記の側面パネル５２は、上底よりも下底が大きい台形状（上底＜下底）に形成されている。そのため、マイクロホンスタンドの脚部から離れた位置（例えば、側面パネル５２の下底（底側）が脚シャフト８に接触することなく離れている位置）でホルダリング５６をポール３に固定した場合であっても、側面パネル５２は、ポール３の一端側３ａ、つまりマイクロホン１１の方向を向く。これに対して、側面パネル５２を上下逆（上底＞下底）の台形状に形成することにより、側面パネル５２をポール３の他端側（脚部側）、つまり床面１００の方向に向けることが可能になる。これにより、ハウリングの抑制効果を一層高めることができる。
【００４７】
以上説明したように本第２実施形態に係るスピーカボックス５０では、マイクロホンスタンド２のポール３から放射状に展開可能に分割される複数の側面パネル５２に、頂面パネル５３およびホルダリング５６と、これらの複数の側面パネル５２を頂面パネル５３およびホルダリング５６に対して回動可能に取り付ける蝶番５９とを備える。これにより、複数の側面パネル５２の展開角度θが、ホルダリング５６の固定位置に従って変動して開口部５２ａまたはスピーカ３６〜３９の向きを変えるので、可能な範囲で開口部５２ａまたはスピーカ３６〜３９の向きを変えられる。そのため、ステージ上に敷設される機器の接続コードの本数を減らすことができることに加えて、例えば、スピーカ音がマイクロホン１１に回り込んで生じ得るハウリングが発生しないように、開口部５２ａまたはスピーカ３６〜３９の向きを変更することができる。また、マイクロホン１１を使用するミュージシャンＭや観客等にスピーカ音が届き易い方向に開口部５２ａまたはスピーカ３６〜３９の向きを変更することができる。
【００４８】
また、本第２実施形態に係るスピーカボックス５０では、マイクロホンスタンド２のポール３から取り外した場合には、複数の側面パネル５２は平面状に展開することができる。これにより、スピーカボックス５０は、箱形状から平板状に形態が変わるので、平板状の板厚方向の幅が狭められる。そのため、例えば、運搬車両の側壁や天井近くに形成される隙間空間にも収容し得る。または平らなボードのように持ち運ぶことができる。したがって、箱形状の場合に比べて可搬性が高まり、可搬時の利便性に優れたものになる。なお、脚シャフト８が３本のマイクロホンスタンドの場合を例示して説明したが、脚シャフトが４本以上のマイクロホンスタンドや、［背景技術］の欄で述べた特許文献１（特開２００２−１３５８７５号公報）に開示されるような脚部が円盤形状のマイクロホンスタンドについても、上述と同様にスピーカボックス５０を使用することができる。
【００４９】
なお、上述した各実施形態では、スピーカボックス２０、４０、５０にアンプユニット３１を収容したが、これに加えてイコライザーを収容したり、またはアンプユニット３１に代えてイコライザー機能を備えたアンプユニットを収容したりしても良い。これにより、スピーカ３６〜３９から出力されるスピーカ音の周波数特性を任意に調整することが可能になるので、ハウリングの発生を抑制する手段として、スピーカ３６〜３９の向きを機械的に変えるだけでなく、グラフィックイコライザー機能により電気的にハウリングを抑えることができる。
【００５０】
また、アンプユニット３１において、入力ジャック２６を複数設ける場合には、それぞれの入力に対するスピーカ出力のバランスを調整可能なバランス回路をアンプユニット３１に追加するとともに、その操作ツマミを頂面パネル２３，４３に設ける構成を採っても良い。これにより、各入力に対するスピーカ出力のバランスを任意に調節することもできるので、例えば、マイクロホンから入力されるマイク入力のスピーカ音と、エレキギターからギター入力のスピーカ音との出力比を自由に変えられる。
【００５１】
また、上述した各実施形態では、スピーカボックス２０、５０の形状を四角錐台形状に設定したり、スピーカボックス４０の形状を円錐台形状に設定したが、マイクロホンスタンドの根元側に取り付け可能な形状でれあれば、三角錐台形状、円錐形状、角錐形状、立方体形状、直方体形状、多角柱状体形状、球体形状、円環形状等であっても良い。また、スピーカボックス２０、４０、５０のそれぞれのケース２１，４１，５１は、プラスチック製の場合を例示して説明したが、アルミニウムや鉄等の金属製であっても良い。また、木製であっても良い。金属製の場合には、アンプユニット３１や電源ユニット３３等に対する電気的な絶縁を必要に応じて確保する構成を採る。また、スピーカ３６等の個数や大きさについては、スピーカ音として出力すべき音量等の要求仕様に応じて適切な個数や大きさに適宜設定される。
【００５２】
以上、本考案の具体例を詳細に説明したが、これらは例示に過ぎず、実用新案登録請求の範囲を限定するものではない。実用新案登録請求の範囲に記載の技術には、上述した具体例を様々に変形または変更したものが含まれる。また、本明細書または図面に説明した技術要素は、単独であるいは各種の組合せによって技術的有用性を発揮するものであり、出願時の請求項に記載の組合せに限定されるものではない。さらに、本明細書または図面に例示した技術は、複数の目的を同時に達成するものであり、そのうちの一つの目的を達成すること自体で技術的有用性を持つ。なお、[符号の説明]の欄における括弧内の記載は、上述した各実施形態で用いた用語と、実用新案登録請求の範囲に記載の用語との対応関係を明示するものである。
【符号の説明】
【００５３】
２…マイクロホンスタンド
３…ポール
４…ブーム
８…脚シャフト
１１…マイクロホン
１３…マイクコード
１５…マイクプラグ
２０，４０，５０…スピーカボックス
２１，４１，５１…ケース
２２，４２…側面パネル（側壁）
２２ａ，５２ａ…開口部
２３，４３…頂面パネル
２３ａ，４３ａ，５３ａ…挿入孔
２５，４５，５５…スピーカグリル
２６…入力ジャック
２７…出力ジャック
２８…ボリュームツマミ
２９，４９…ウェイト
２９ａ，４９ａ…凹部
３１…アンプユニット（オーディオアンプ）
３２…ボリューム
３３…電源ユニット
３６〜３９…スピーカ
５２…側面パネル（展開可能に分割される複数の側壁）
５３…頂面パネル（固定部）
５６…ホルダリング（固定部）
５７…ボルト
５９…蝶番（回動機構）
１００…床面
Ｍ…ミュージシャン
【図１】
0003209276.tif 000003
【図３】
0003209276.tif 000004
【図７】
0003209276.tif 000005
【図２】
0003209276.tif 000006
【図４】
0003209276.tif 000007
【図５】
0003209276.tif 000008
【図６】
0003209276.tif 000009
【図８】
0003209276.tif 000010